(57)【要約】      （修正有）【課題】クリップを様々な箇所に挟持させることができ、携帯や操作性の利便性が高めることができる指濡らし具を提供する。【解決手段】本考案の指濡らし具１は、一対の摘部１１と、摘部の先端に形成された挟持部１２、および中央部１３にバネ部材１４を備えたクリップ１０と、摘部の何れか一方に装着された指保湿部２０とで構成されている。そのため、クリップを様々な箇所に挟持させることができ、携帯や操作性の利便性が高まる。【選択図】図１
0003232739.tif 000002
【実用新案登録請求の範囲】
【請求項１】
一対の摘部と、摘部の先端に形成された挟持部、および中央部にバネ部材を備えたクリップと、摘部の何れか一方に装着された指保湿部とで構成されていることを特徴とする指濡らし具。
【請求項２】
前記指保湿部は、容器本体と、容器本体の開口部に開閉自在に装着された蓋部と、前記容器内に収容された吸水材とで構成されている請求項１記載の指濡らし具。
【請求項３】
前記容器本体内に滑止材を収容した請求項１又は２記載の指濡らし具。
【考案の詳細な説明】
【技術分野】
【０００１】  本考案は、さまざまな箇所に容易に、且つ確実に着脱できる指濡らし具に関する。
【背景技術】
【０００２】  乾燥した冬期は、指先の水分が奪われて乾燥してしまう。また加齢によっても指先の水分が減少してしまう。そのため、雑誌や新聞等のページが捲りづらくなり、さらには紙幣や商品券等の枚数を数えるのも困難となる。【０００３】  そのため従来より、紙幣束、本などのように薄手の紙葉類が多数重合されている物品を一枚ずつ捲る際に用いて好適な簡略構成の指先濡らし具がある（例えば特許文献１参照）。【０００４】  上掲特許文献１の指先濡らし具は、含水したスポンジを保持する挿入引き出し板と、前記挿入引き出し板における前記スポンジ片領域を挿脱可能に収容する濡らし具保持体と、前記濡らし具保持体から突出する前記挿入引き出し板の一部に設けた掛け止め材と、を有することを特徴とする。
【先行技術文献】
【特許文献】
【０００５】
【特許文献１】実用新案登録第３２２８０３２号公報
【考案の概要】
【考案が解決しようとする課題】
【０００６】  しかしながら上掲特許文献１の指先濡らし具は、濡らし具保持体を片手で持ち、挿入引き出し板を他方の手指で引き出し、含水したスポンジ片に指先を接触させ使用するため、操作面や携帯面での煩わしさが残った。【０００７】  そこで本考案は上記の点に鑑み、携帯や操作性に優れ、さらにさまざまな箇所に容易に、且つ確実に着脱できる指濡らし具を提供することを特徴とする。
【解決を解決するための手段】
【０００８】上記課題を解決するために、本考案の指濡らし具は、一対の摘部と、摘部の先端に形成された挟持部、および中央部にバネ部材を備えたクリップと、摘部の何れか一方に装着された指保湿部とで構成されていることを特徴とする。
【０００９】  また指保湿部は、容器本体と、容器本体の開口部に開閉自在に装着された蓋部と、前記容器本体内に収容された吸水材とで構成されている。
【００１０】  さらに、容器内に滑止材を収容した。
【考案の効果】
【００１１】  本考案の指濡らし具は、一対の摘部と、摘部の先端に形成された挟持部、および中央部にバネ部材を備えたクリップと、摘部の何れか一方に装着された指保湿部とで構成されているため、クリップを様々な箇所に挟持させることができ、携帯や操作性の利便性が高まる。
【図面の簡単な説明】
【００１２】
【図１】  本考案の指濡らし具の斜視図である。
【図２】  前記指濡らし具の側面図である。
【図３】  本考案の指濡らし具の使用状態の側面図である。
【図４】  他の好適例、容器本体内に滑止材を収容した平面図である。
【図５】  また他の好適例、容器本体内に吸水材と滑止材を収容した平面図である。
【図６】  本考案の指濡らし具の使用状態の斜視図である。
【考案を実施するための形態】
【００１３】  本考案の指濡らし具は、携帯や操作性に優れ、さらにさまざまな箇所に容易に、且つ確実に着脱できることを特徴とする。
以下、本考案の指濡らし具の実施の形態を図面に基づいて説明する。
【００１４】  図１に示す指濡らし具１は、一対の摘部１１と、摘部１１の先端に形成された挟持部１２、および中央部１３にバネ部材１４を備えたクリップ１０と、摘部１１の何れか一方に装着された指保湿部２０とで構成されている。
【００１５】  前記クリップ１０は、汎用のクリップが好適に使用され、樹脂製の素材で形成される一対の摘部１１と、摘部１１の先端に形成された挟持部１２とからなる。また中央部１３にバネ部材１４を備えることで、摘部１１を指で摘まむと挟持部１２が開口され、さまざまな部材に容易に挟着させることができる。
【００１６】  また特に、摘部１１の何れか一方には指保湿部２０が装着されている。指保湿部２０は、容器本体２１と蓋材２２と、容器本体２１と蓋材２２とを連結する連結部２３とからなり、容器本体２１の底部が接着剤等を介して摘部１１に装着されている。
【００１７】  また前記容器本体２１内には吸水材２４が収容されている。吸水材２４の素材は特に限定されるものではないが、汎用のスポンジや発泡ウレタン等が好適に使用することができる。
【００１８】  前記吸水材２４に水道水等を含水させ、図２及び図３に示すように、蓋材２２を開けて吸水材２４に指先を触れることで、指先に水分を付着させることができる。そのことにより、雑誌の頁を捲ったり、紙幣等を数えたりする際、容易に、かつ確実に紙片を区分けすることができる。また、切手や印紙等の貼着面に液体を塗布することもできる。
【００１９】  また本考案の指濡らし具１は、クリップ１０を具備しているため、さまざまな箇所に挟着させることができる。例えば、図６に示すようにメガネ２のテンプル（つる）３部分に装着することができる。また胸ポケットの開口部、帽子の鍔、バッグの一部等に装着することができる。なお、容器本体２１に蓋材２２を封止することで、吸水材２４内の液体が外部に漏れ出すことがない。
【００２０】  また他の好適例として、図４に示すように、容器本体２１内に滑止材２５を収容した。滑止材２５は脂肪酸ナトリウム、多価アルコール、コラーゲン、植物セラミド等の素材からなり、少なくとも一種、好ましくは複数配合させることにより半固形状に形成される。
【００２１】  また図５に示すように、容器本体２１内に仕切材２６を介在させ、吸水材２４と滑止材２５を区分けして収容することができる。この構造により、紙片を捲る際は滑止材２５を、切手や印紙吸の貼着面に水分を塗布する場合は吸水材２４を、それぞれ使い分けすることができる。
【００２２】  上述の如く、本考案の指濡らし具１は、一対の摘部１１と、摘部１１の先端に形成された挟持部１２、および中央部１３にバネ部材１４を備えたクリップ１０と、摘部１１の何れか一方に装着された指保湿部２０とで構成されているため、クリップ１０を様々な箇所に挟持させることができ、携帯や操作性の利便性が高まる。
【符号の説明】
【００２３】１    指濡らし具
２    メガネ
３    テンプル
１０  クリップ
１１  摘部
１２  挟持部
１３  中央部
１４  バネ部材
２０  指保湿部
２１  容器本体
２２  蓋材
２３  連結部
２４  吸水材
２５  滑止材
２６  仕切材
【図１】
0003232739.tif 000003
【図２】
0003232739.tif 000004
【図３】
0003232739.tif 000005
【図４】
0003232739.tif 000006
【図５】
0003232739.tif 000007
【図６】
0003232739.tif 000008